(57)【特許請求の範囲】
【請求項１】
遊技球を受け入れない第１状態と遊技球を受け入れ可能な第２状態とに変換する入賞装置１１の開閉部材を設けるとともに、該入賞装置１１の開閉部材より入賞した遊技球を入賞装置１１の入賞口に連通して誘導する第一誘導樋１０を設ける一方、縦軸に回転する回転部材２０に補足溝となる螺旋状の誘導樋２１ａ、２１ｂ、２１ｃを設け、該螺旋状の誘導樋２１ａ、２１ｂ、２１ｃの何れかを特賞とならない遊技球を排出する回転部材２０の壁面中に設けた排出口２２に連通し、他を特賞となる遊技球を導出する透明カバー１５に設けた特賞排出口１９に連通させ、前記、第一誘導樋１０により誘導され螺旋状の誘導樋２１ａ、２１ｂ、２１ｃを降下する遊技球を、回転部材２０を覆う透明カバー１５に形成された第２誘導樋１８と螺旋状の誘導樋２１ａ、２１ｂ、２１ｃとで挟持して、低速駆動させる駆動モーター２３により回転される螺旋状の誘導樋２１ａ、２１ｂ、２１ｃにより漸進降下させて前記特賞排出口１９に誘導する構造と、当該回転部材２０を円滑に回転するようにベアリングの機能を果たす複数の鋼球の配列が設けられた配列取付け部材２７を嵌入した分別部材２８とを、中央入賞装置本体９に設けたことを特徴とするパチンコ機の中央入賞装置。
【発明の詳細な説明】
【０００１】
【産業上の利用分野】
本発明は、駆動モーターにより回転する螺旋状の回転部材を有するパチンコ機の中央入賞装置に関するものである。
【０００２】
【従来の技術】
従来、パチンコ機の中央入賞装置としては、取付基板の前面左右に遊技球が入り難い状態と遊技球が入り易い状態に変換することができる可動片を対設し、その可動片の下方に、可動片が受け入れた遊技球を入賞させる一般入賞口と特別入賞口とを設け、その特別入賞口に遊技球が入ると、前記可動片における遊技球の入り易い状態をあらかじめ定める時間で規制して継続させる特賞遊技状態とし、遊技者に所定の利益を与えるようにしたパチンユ機は種々提案されている。
【０００３】
【発明が解決しようとする課纏】
ところで、この従来のパチンコ機の中央入賞装置にあっては、球受口より入賞した遊技球は自重により下部に対して方向を変えられながら、すべり、ころがり落ち、固定的に設けられた特別入賞球受口及び入賞口受口に遊技球が落入する構造にされていて、遊技球の入賞過程に変化が少なく、遊技者にパチンコ遊技の興趣を十分に与えるに至らず飽きられやすいという問題点があった。それゆえに、本発明は前記問題点を解決するためになされたもので、遊技者の興味を引き、かつパチンコ遊技の興趣を大いに高めるのに役立つ新規なパチンコ機の中央入賞装置を提供することであり、かかる従来構成の問題点を解決することを目的とするものである。
【０００４】
【課題を解決するための手段】
本発明は、遊技球を受け入れない第１状態と遊技球を受け入れ可能な第２状態とに変換する入賞装置１１の開閉部材を設けるとともに、該入賞装置１１の開閉部材より入賞した遊技球を入賞装置１１の入賞口に連通して誘導する第一誘導樋１０を設ける一方、縦軸に回転する回転部材２０に補足溝となる螺旋状の誘導樋２１ａ、２１ｂ、２１ｃを設け、該螺旋状の誘導樋２１ａ、２１ｂ、２１ｃの何れかを特賞とならない遊技球を排出する回転部材２０の壁面中に設けた排出口２２に連通し、他を特賞となる遊技球を導出する透明カバー１５に設けた特賞排出口１９に連通させ、前記、第一誘導樋１０により誘導され螺旋状の誘導樋２１ａ、２１ｂ、２１ｃを降下する遊技球を、回転部材２０を覆う透明カバー１５に形成された第２誘導樋１８と螺旋状の誘導樋２１ａ、２１ｂ、２１ｃとで挟持して、低速駆動させる駆動モーター２３により回転される螺旋状の誘導樋２１ａ、２１ｂ、２１ｃにより漸進降下させて前記特賞排出口１９に誘導する構造と、当該回転部材２０を円滑に回転するようにベアリングの機能を果たす複数の鋼球の配列が設けられた配列取付け部材２７を嵌入した分別部材２８とを、中央入賞装置本体９に設けたことを特徴とするパチンコ機の中央入賞装置である。
【０００５】
【作用】
上部に遊技球を受け入れない第１状態と遊技球を受け入れ可能な第２状態とに変換する入賞装置１１の開閉部材を設け、該入賞装置１１の開閉部材より入賞した遊技球は第一誘導樋１０に流入される。当該中央入賞装置本体９の中央部には鉛直な縦軸で回転する回転部材２０があり、該回転部材２０の上部には回転皿部材１６が設けられる。遊技球は前記第一誘導樋１０を通った後回転部材２０上部の回転皿部材１６に誘導される。前記回転皿部材１６には遊技球の降下入口１７が設けられており、遊技球は降下入口１７に誘導される。降下入口１７に到来した遊技球は前記回転部材２０に形成された螺旋状の誘導樋２１ａ、２１ｂ、２１ｃの何れかを待機する。回転部材２０には螺旋状の３つの誘導樋２１ａ、２１ｂ、２１ｃが形成され、そのうちの少なくとも１つが特賞となる遊技球を誘導する誘導樋として設けられ、他の螺旋状の誘導樋２１ａ、２１ｂ、２１ｃは特賞にならない遊技球を排出する排出口２２に遊技球を誘導する誘導樋として設けられている。
【０００６】
前記の鉛直な縦軸に回転する螺旋状の誘導樋を有す回転部材２０は、駆動モーター２３により時計回りと逆方向に回転しており、回転部材２０の上部に設けられた回転皿部材１６の降下入口１７で待機していた遊技球は、回転部材２０の螺旋状の誘導樋２１ａ、２１ｂ、２１ｃのうちの何れかの誘導樋２１ａ、２１ｂ、２１ｃに降下する。螺旋状の誘導樋２１ａ、２１ｂ、２１ｃのうち特賞球にならない誘導樋２１ａ、２１ｂ、２１ｃに降下した遊技球は回転部材２０の壁面に開口された排出口２２より該回転部材２０の下方に落下する。螺旋状の誘導樋２１ａ、２１ｂ、２１ｃのうち特賞となる遊技球を受け入れた螺旋状の誘導樋２１ａ、２１ｂ、２１ｃは、駆動モーター２３により時計回りと逆方向に回転して特賞となる遊技球の下方への降下を漸進させる。特賞となる遊技球は、回転部材２０の螺旋状の誘導樋２１ａ、２１ｂ、２１ｃに誘導されて降下した後に特賞排出口１９に至る。
回転部材２０に開口された排出口２２に回転部材２０の螺旋状の誘導樋２１ａ、２１ｂ、２１ｃにより導かれた特賞とならない遊技球は、回転部材２０下方端に設けられた出口３０に誘導される一方、特賞となる遊技球は特賞排出口１９より回転部材２０下方端に設けられた排出口２９に誘導される。
【０００７】
駆動モーター２３により縦軸に回転する回転部材２０を容易に回転させるためにベアリングの役目をする複数の鋼球２６が配列され配列取付け部材２７に設けられる。その鋼球２６が配列された配列取付け部材２７の上部には回転部材２０が配置され、配列取付け部材２７と回転部材２０とが一体に嵌合される。回転部材２０と配列取付け部材２７の下部に、特賞球となる遊技球と特賞球にならない遊技球とを分別する分別部材を設ける。従来パチンコ機の中央入賞装置６において遊技球は、遊技球の自重によって下部に方向をかえられながら、すべり、ころがり落ち誘導されるのが一般的であった。本発明は、駆動モーター２３により回転される螺旋状の誘導樋２１ａ、２１ｂ、２１ｃにより遊技球を一定速度でごく緩やかに下方向に誘導して、排出口２２と特賞排出口１９とによって特賞となる遊技球を分別するので遊技者の興味を引き、かつパチンコ遊技の興趣を大いに高めるのに役立つ新規なパチンコ機の中央入賞装置を提供するものである。
【０００８】
【実施例】
以下に、本発明の一実施例を図面に基づいて説明する。図１は本発明の一実施例の中央入賞装置６を装着したパチンコ機の正面図である。パチンコ機１の遊技盤２には、入賞装置（通称チューリップ）３と、入賞開閉装置４とが設けられている。また遊技盤２中央のほぼ下に７セグメント表示器からなる図柄表示装置５が設けられる。図柄表示装置５の上部にはこの発明の一実施例の中央入賞装置６が装着される。
【０００９】
図２および図３は本発明に係る中央入賞装置６の前面部に嵌合されて遊技盤面に該中央入賞装置６を装着する部品の斜視図面である。中央入賞装置の本体９に、入賞口８の形成された前飾り７が装着される。中央入賞装置６の入賞口８より入賞した遊技球は、中央入賞装置の本体９に透設された第一誘導樋１０に誘導される。図４は、中央入賞装置６の最上部に設けられ、遊技球を受け入れない第１状態と遊技球を受け入れ可能な第２状態に変換する開閉部材を有する入賞装置１１を図示する。前記入賞装置１１の開閉部材はソレノイド補助部品１４を介してソレノイド１２により連繋される。前記入賞装置１１の開閉部材は、ソレノイド１２の励磁によってソレノイド補助部品１４を介して第１状態及び第２状態に変換される。
【００１０】
図５は、中央入賞装置の本体９に収容される回転部材２０を遊嵌する透明カバー１５の斜視図である。入賞口８より入賞した遊技球は第一誘導樋１０より透明カバー１５の上端面に誘導されてくる。該透明カバー１５の上部には前方向に傾斜のついた回転皿部材１６が設けられている。透明カバー１５の上端の正面には遊技球の降下入口１７が開口されていて、前記傾斜のついた回転皿部材１６を転動した遊技球は降下入口１７に誘導される。降下入口１７に導入された遊技球は、透明カバー１５に膨出形成された第２誘導樋１８を通り透明カバー１５の下方端に向かって降下する。第２誘導樋１８を降下した遊技球は、降下する螺旋状の誘導樋２１ａ、２１ｂ、２１ｃの別によって特賞排出口１９に誘導される場合を生じる。
【００１１】
図６は、当該中央入賞装置６のほぼ中央部に配置されて透明カバー１５を嵌合する回転部材２０の斜視図である。当該回転部材２０は、駆動モーター２３の駆動力によって時計回りの逆方向に回転する筒状体に形成されている。筒状の回転部材２０には３つの螺旋状の誘導樋２１ａ、２１ｂ、２１ｃが延設されている。前記降下入口１７に導入された遊技球は、透明カバー１５に膨出形成された第２誘導樋１８を通り透明カバー１５の下方端に向かって降下する。第２誘導樋１８を降下する遊技球は同時に螺旋状の誘導樋２１ａ、２１ｂ、２１ｃを転動し降下していく。駆動モーター２３により回転される回転部材２０の螺旋状の誘導樋２１ａ、２１ｂ、２１ｃは、降下する遊技球を第２誘導樋１８とともに抱持して、自重による自然降下に抗して当該遊技球を漸進させる。即ち、遊技球の自重による自然流下によっては得られない遊技球の転動態様が、回転する螺旋状の誘導樋２１ａ、２１ｂ、２１ｃの作用によって生じる。さらに、螺旋状の誘導樋２１ａ、２１ｂ、２１ｃのそのうち少なくとも１つが特賞を導く螺旋状の誘導樋として回転部材２０に形成され、回転部材２０に形成された他の螺旋状の誘導樋２１ａ、２１ｂ、２１ｃが特賞にならない遊技球を排出口２２に導く構造となっている。図６で表わした実施形態にあっては、回転部材２０の中段に位置して排出口２２に連通された螺旋状の誘導樋２１が特賞にならない遊技球を分別する構造となる。
【００１２】
図７は、前記の螺旋状の誘導樋２１ａ、２１ｂ、２１ｃを有する回転部材２０を駆動モーター２３により鉛直な縦軸で回転させ、駆動モーター２３の回転運動を回転部材２０に伝達する歯車２４、歯車２５を図示している。また、図７は、駆動モーター２３により縦軸に回転する回転部材２０の円滑な回転を実現するために、ベアリングの役目をする複数の鋼球２６の配列が取付けられた配列取付け部材２７を図示する。さらに図７は、該鋼球２６と歯車２４、歯車２５と駆動モーター２３と配列取付け部材２７とを分解して示す分解斜視図となっている。図８は、駆動モーター２３と歯車２４、歯車２５と複数の鋼球２６の配列と取付け部材２７とを嵌合して組付けた組立斜視図である。図９は、配列取付け部材２７に外嵌される分別部材２８を示す。当該分別部材２８は、螺旋状の誘導樋２１ａ、２１ｂ、２１ｃの一により特賞排出口１９に誘導された特賞球となる遊技球を当該中央入賞装置６の装置外へ導出する排出口２９と、螺旋状の誘導樋２１ａ、２１ｂ、２１ｃの他の一により排出口２２に誘導された特賞にならない遊技球を排出する出口３０とが設けられている。図１０は、中央入賞装置６の図３Ａ−Ａ断面図である。
【００１３】
かかる構造にあって、開閉部材より入賞した遊技球は第一誘導樋１０に流入される。遊技球は前記第一誘導樋１０を通った後回転部材２０の上部に位置する回転皿部材１６に誘導される。該回転皿部材１６には遊技球の降下入口１７が付設されており、遊技球は降下入口１７に落入する。降下入口１７に到来した遊技球は、駆動モーター２３により回転される３つの螺旋状の誘導樋２１ａ、２１ｂ、２１ｃの何れか１つに導入される。螺旋状の誘導樋２１ａ、２１ｂ、２１ｃの何れか１つが特賞となる遊技球を誘導する誘導樋として回転部材２０に形成され、他の螺旋状の誘導樋２１ａ、２１ｂ、２１ｃが特賞にならない遊技球を排出口２２に排出する誘導樋として回転部材２０に形成されている。鉛直な縦軸に回転する回転部材２０は駆動モーター２３によって時計回りと逆方向に回転され、螺旋状の誘導樋２１ａ、２１ｂ、２１ｃの一つが特賞となる遊技球の下方への降下を漸進させる。特賞となる遊技球は、第２誘導樋１８を降下した後に特賞排出口１９に至る。特賞とならない遊技球は、駆動モーター２３により回転される回転部材２０の他の誘導樋２１ａ、２１ｂ、２１ｃによって排出口２２に漸進されつつ導出される。特賞とならない遊技球はさらに、回転部材２０の下方端に設けられた排出口３０誘導される。前記特賞となる遊技球は、特賞排出口１９より回転部材２０下方端に設けられた排出口２９に誘導される。当該中央入賞装置６に入賞した遊技球には、駆動モーター２３により回転される回転部材２０の螺旋状の誘導樋２１ａ、２１ｂ、２１ｃの作用力によって、遊技球の自重による作用によっては得られない中央入賞装置６での転動態様と、回転する回転部材２０の螺旋状の誘導樋２１ａ、２１ｂ、２１ｃにより特賞排出口１９と排出口２２とに或いは排出口２９と排出口３０とに分別される振り分け動作とが出現する。遊技者は、当該中央入賞装置６における遊技球を駆動モーター２３の回転力を駆動源として螺旋状の誘導樋が一定速度で回転してごく緩やかに下方向に遊技球を誘導する構造に興味をいだく。当該中央入賞装置６をパチンコ機の遊技盤に設けることによりパチンコ遊技の興趣は大いに高められる。当該中央入賞装置６有するパチンコ機についてのパチンコ遊技によって遊技球が特賞となれば遊技者には多大の利益を生じさせ得ることとなる。本発明の実施形態に記載した発明は、上述したように、中央入賞装置本体９の上部に遊技球を受け入れない第１状態と遊技球を受け入れ可能な第２状態とに変換する入賞装置１１の開閉部材を設けるとともに、該入賞装置１１の開閉部材より入賞した遊技球を入賞装置１１の入賞口に連通して誘導する第一誘導樋１０を設ける一方、鉛直な縦軸に回転する回転部材２０に補足溝となる螺旋状の誘導樋２１ａ、２１ｂ、２１ｃを設け、該螺旋状の誘導樋２１ａ、２１ｂ、２１ｃの何れかを特賞とならない遊技球を排出する回転部材２０の壁面中に設けた排出口２２に連通し、他を特賞となる遊技球を導出する透明カバー１５に設けた特賞排出口１９に連通させ、前記、第一誘導樋１０により誘導され螺旋状の誘導樋２１ａ、２１ｂ、２１ｃを降下する遊技球を、回転部材２０を覆う透明カバー１５に形成された第２誘導樋１８と螺旋状の誘導樋２１ａ、２１ｂ、２１ｃとで挟持して、低速駆動させる駆動モーター２３により回転される螺旋状の誘導樋２１ａ、２１ｂ、２１ｃにより漸進降下させて前記特賞排出口１９に誘導する構造と、当該回転部材２０を円滑に回転するようにベアリングの機能を果たす複数の鋼球の配列が設けられた配列取付け部材２７を嵌入した分別部材２８とを、中央入賞装置本体９に設けたことを特徴とするパチンコ機の中央入賞装置となっている。
【００１４】
【発明の効果】
本発明は、上述したように、遊技球を受け入れない第１状態と遊技球を受け入れ可能な第２状態とに変換する入賞装置１１の開閉部材を設けるとともに、該入賞装置１１の開閉部材より入賞した遊技球を入賞装置１１の入賞口に連通して誘導する第一誘導樋１０を設ける一方、縦軸に回転する回転部材２０に補足溝となる螺旋状の誘導樋２１ａ、２１ｂ、２１ｃを設け、該螺旋状の誘導樋２１ａ、２１ｂ、２１ｃの何れかを特賞とならない遊技球を排出する回転部材２０の壁面中に設けた排出口２２に連通し、他を特賞となる遊技球を導出する透明カバー１５に設けた特賞排出口１９に連通させ、前記、第一誘導樋１０により誘導され螺旋状の誘導樋２１ａ、２１ｂ、２１ｃを降下する遊技球を、回転部材２０を覆う透明カバー１５に形成された第２誘導樋１８と螺旋状の誘導樋２１ａ、２１ｂ、２１ｃとで挟持して、低速駆動させる駆動モーター２３により回転される螺旋状の誘導樋２１ａ、２１ｂ、２１ｃにより漸進降下させて前記特賞排出口１９に誘導する構造と、当該回転部材２０を円滑に回転するようにベアリングの機能を果たす複数の鋼球の配列が設けられた配列取付け部材２７を嵌入した分別部材２８とを、中央入賞装置本体９に設けたことを特徴とするパチンコ機の中央入賞装置であり、本発明によれば、遊技者は、当該中央入賞装置６に入賞した遊技球が、ごく緩やかに降下して誘導される動作と特賞となる遊技球に分別される構造に興味をいだく。当該中央入賞装置６をパチンコ機の遊技盤に設けることによりパチンコ遊技の興趣は大いに高められる。当該中央入賞装置６有するパチンコ機についてのパチンコ遊技によって遊技球が特賞となれば遊技者には多大の利益を生じさせ得ることとなる。これにより遊技者へのサービス向上を計ることができ著しく遊技に興趣を増す効果を生じる。
特に、遊技球は、駆動モーター２３により回転される螺旋状の誘導樋２１ａ、２１ｂ、２１ｃによって、自重による作用力とは異なる作用を得て転動しつつ漸進降下すると同時に、特賞排出口１９と他の排出口とに振り分けられる顕著な転動過程を呈し、従来存在しなかった趣向感がパチンコ機に与えられる効果を生じる。また磁性を用いて遊技球を吸着し、自重に反した転動動作を遊技球に付与する構造でも無いので、遊技球に生じる残留磁気によりパチンコ遊技が阻害される不具合も生じない。
【図面の簡単な説明】
【図１】  本発明のパチンコ機中央入賞装置６の装着位置を示す正面図である。
【図２】  本発明に係る中央入賞装置６の前飾り７の斜視図である。
【図３】  本発明に係る中央入賞装置６の本体９の斜視図である。
【図４】  本発明に係る開閉部材を有する入賞装置１１を作動させる部品類の斜視図である。
【図５】  本発明に係る透明カバー１５の斜視図である。
【図６】  本発明に係る回転部材２０、螺旋状の誘導樋２１ａ、２１ｂ、２１ｃの斜視図である。
【図７】  本発明に係る駆動モーター２３、鋼球２６、歯車２４、２５、等の分解斜視図である。
【図８】本発明に係る各部品を組付けた組立斜視図である。
【図９】本発明に係る分別部材２８の斜視図である。
【図１０】本発明に係る図３におけるＡ−Ａ断面図である。
【符号の説明】
１０  第一誘導樋
１１  開閉部材を有する入賞装置
１５  透明カバー
１７  降下入口
１８  第2誘導樋
２０  回転部材
２１ａ、２１ｂ、２１ｃ  螺旋状の誘導樋
２３  駆動モーター
２４、２５  歯車
２６  鋼球
２８  分別部材
【図１】
0003680180.tif 000002
【図２】
0003680180.tif 000003
【図３】
0003680180.tif 000004
【図４】
0003680180.tif 000005
【図５】
0003680180.tif 000006
【図６】
0003680180.tif 000007
【図７】
0003680180.tif 000008
【図８】
0003680180.tif 000009
【図９】
0003680180.tif 000010
【図１０】
0003680180.tif 000011